(57)【要約】【課題】送信したスキャンメールが正常に配送されなかったことを管理者等に通知することが出来るようにするための処理に、ネットワーク資源が無駄に消費されることがないスキャンメール送信装置を、提供する。【解決手段】原稿をイメージデータ化し、そのファイルを添付ファイルとした電子メール等であるスキャンメールを送信するためのスキャンメール送信装置を、メールサーバとしての機能を有すると共に、自装置宛の電子メールが送信されてきた場合に、その電子メールがエラーメールであるか否かを判断する機能を有する装置として、構成しておく。【選択図】　図３
2004088612.tif 000002
【特許請求の範囲】
【請求項１】
スキャナ及びコンピュータネットワークに接続されて使用されるスキャンメール送信装置であって、
メールサーバ装置としての機能を有するとともに、
操作者によって出された、送信先アドレスの指定を伴うスキャンメール送信指示を受け付ける指示受付手段と、
この指示受付手段によって前記スキャンメール送信指示が受け付けられたときに、前記スキャナに原稿のイメージデータを生成させ、そのイメージデータに関する、前記操作者によって指定された前記送信先アドレスを宛先アドレスとした電子メールであるスキャンメールを作成・送信するスキャンメール送信手段と、自装置宛ての電子メールが送信されてくる度に、その電子メールが或るスキャンメールの配送が行えなかったことを示すエラーメールであるか否かを判断し、そうであった場合には、スキャンメールの配送が行えなかったことをそのスキャンメールの送信を指示したユーザに通知するための通知処理を行うエラーメール対処手段
とを、備えることを特徴とするスキャンメール送信装置。
【請求項２】
前記エラーメール対処手段は、前記通知処理として、前記スキャンメールの送信を指示したユーザに対して、スキャンメールの配送が行えなかったことを通知するための電子メールを送信する処理を、行う
ことを特徴とする請求項１記載のスキャンメール送信装置。
【請求項３】
前記エラーメール対処手段は、前記通知処理として、前記エラーメールの内容をプリンタに印刷させる処理を、行う
ことを特徴とする請求項１記載のスキャンメール送信装置。
【請求項４】
スキャンメールの配送が行えなかったことの通知を、第１通知処理，第２通知処理のいずれで行うかを指定する通知法指定情報を、各ユーザについて記憶した通知法指定情報記憶手段を、さらに、備え、
前記エラーメール対処手段は、前記スキャンメールの送信を指示したユーザについて前記通知法指定情報記憶手段に記憶されている通知法指定情報が前記通知を第１通知処理で行うことを指示する情報であった場合には、当該ユーザに対して、スキャンメールの配送が行えなかったことを通知するための電子メールを送信する第１通知処理を行い、そうでなかった場合には、前記エラーメールの内容をプリンタに印刷させる第２通知処理を行う
ことを特徴とする請求項１記載のスキャンメール送信装置。
【発明の詳細な説明】
【０００１】
【発明の属する技術分野】
本発明は、電子メールが利用可能なコンピュータネットワークと、スキャナとに接続されて使用されるスキャンメール送信装置に、関する。
【０００２】
【従来の技術】
近年、スキャナに原稿のイメージデータを生成させ、そのイメージデータファイルを電子メールにて送信することが出来る装置（通常は、デジタル複合機；以下、スキャンメール送信装置と表記する）が、開発されている。
【０００３】
以下、図７を用いて、既存のスキャンメール送信装置１００の構成、動作を、簡単に説明する。
【０００４】
このスキャンメール送信装置１００は、メールサーバ１２０が接続されているＬＡＮとスキャナ１１０とに接続され、当該メールサーバ１２０により管理されるメールアドレスが装置内に設定された状態で使用される装置である。
【０００５】
そして、スキャンメール送信装置１００は、ＳＭＴＰ等のメール送信機能を有し、当該機能を利用して、自装置内に設定されているメールアドレスをエンベロープ内の送信者アドレスとした電子メールであって、スキャナ１１０を利用して生成したイメージデータファイルを添付した電子メール（以下、スキャンメールと表記する）を送信することが出来る装置となっている。
【０００６】
さらに、スキャンメール送信装置１００は、ＰＯＰ３クライアント機能及び／或いはＩＭＡＰ４クライアント機能等のメール受信機能を有し、当該機能を利用してメールサーバ１２０に周期的にアクセスし、自装置宛ての電子メールが送信されてきている場合には、メールサーバ１２０から自装置宛の電子メールを受信し、それらの中に、スキャンメールに対するエラーメールが含まれていた場合には、各エラーメールの内容を管理者或いはスキャンメールの送信指示者に通知する処理を行うように、構成されている。
【０００７】
【発明が解決しようとする課題】
要するに、既存のスキャンメール送信装置１００は、送信したスキャンメールが正常に配送されなかった場合に、そのことを管理者或いはスキャンメールの送信指示者に通知することが出来るようにするために、メールサーバ１２０に周期的に自装置宛の電子メールが受信されているかを問い合わせるように構成されているのであるが、このように構成されているが故に、このスキャンメール送信装置１００は、ネットワーク資源（帯域）が無駄に消費される装置となっている。
【０００８】
具体的には、このスキャンメール送信装置１００が用いられたＬＡＮでは、エラーメールがいずれかのメールサーバにより送信されることになるスキャンメール（宛先が間違っているスキャンメール等）をスキャンメール送信装置１００が送信した場合、同じエラーメールの送受信が２回（エラーメール送信元メールサーバとメールサーバ１２０間の送受信と、メールサーバ１２０とスキャンメール送信装置１００間の送受信）行われてしまうことになる。また、メールサーバ１２０への問い合わせにより、スキャンメール送信装置１００宛ての電子メール（エラーメール）が送信されてきていないことが分かっても、送信したスキャンメールが相手に配送されたことが確認される訳ではない（送信したスキャンメールに対するエラーメールがまだ受信されていないことが確認されるだけ）ことを考えると、自装置宛の電子メールが届いているか否かを確認するためのメールサーバ１２０へアクセスする処理も、ネットワーク資源を無駄に消費している処理となっているということが出来る。
【０００９】
本発明は、このような現状を鑑みなされたものであり、本発明の課題は、送信したスキャンメールが正常に配送されなかった場合に、そのことを管理者等に通知することが出来るようにするための処理にネットワーク資源が無駄に消費されることがないスキャンメール送信装置を、提供することにある。
【００１０】
【課題を解決するための手段】
上記課題を解決するために、本発明では、スキャナ及びコンピュータネットワークに接続されて使用されるスキャンメール送信装置を、メールサーバ装置としての機能を有するとともに、操作者によって出された、送信先アドレスの指定を伴うスキャンメール送信指示を受け付ける指示受付手段と、この指示受付手段によってスキャンメール送信指示が受け付けられたときに、スキャナに原稿のイメージデータを生成させ、そのイメージデータに関する、操作者によって指定された送信先アドレスを宛先アドレスとした電子メールであるスキャンメールを作成・送信するスキャンメール送信手段と、自装置宛ての電子メールが送信されてくる度に、その電子メールが或るスキャンメールの配送が行えなかったことを示すエラーメールであるか否かを判断し、そうであった場合には、スキャンメールの配送が行えなかったことをそのスキャンメールの送信を指示したユーザに通知するための通知処理を行うエラーメール対処手段とを、備える装置として構成しておく。
【００１１】
このように構成された本発明のスキャンメール送信装置を用いれば、メールサーバに対して、自装置宛の電子メールが受信されているか否かの問い合わせを行う必要が全く無くなることになる。従って、このスキャンメール送信装置は、送信したスキャンメールが正常に配送されなかった場合に、そのことを管理者等に通知することが出来るようにするための処理にネットワーク資源が無駄に消費されることがない装置として機能することになる。
【００１２】
なお、本発明のスキャンメール送信装置を実現するに際して、スキャンメール送信手段により送信されるスキャンメールは、イメージデータに関係するものであればどのようなものであってもよく、例えば、スキャンメール送信手段を、スキャナに生成させたイメージデータのファイルを添付ファイルとした電子メールをスキャンメールとして作成・送信する手段としておいても良く、スキャンメール送信手段を、スキャナに生成させたイメージデータのファイルをＷｅｂブラウザを利用してそのダウンロードが行える形でサーバ装置にアップロードする手段であるとともに、スキャンメールとして、サーバ装置にアップロードしたファイルのＵＲＬを本文に含む電子メールを送信する手段としておいても良い。
【００１３】
本発明のスキャンメール送信装置を実現するに際しては、エラーメール対処手段は、通知処理として、スキャンメールの送信を指示したユーザに対して、スキャンメールの配送が行えなかったことを通知するための電子メールを送信する処理を行うものを採用しても良く、通知処理として、エラーメールの内容をプリンタに印刷させる処理を、行うものを採用しても良い。
【００１４】
また、本発明のスキャンメール送信装置を実現するに際しては、スキャンメールの配送が行えなかったことの通知を、第１通知処理，第２通知処理のいずれで行うかを指定する通知法指定情報を、各ユーザについて記憶した通知法指定情報記憶手段を、付加しておくとともに、エラーメール対処手段として、スキャンメールの送信を指示したユーザについて通知法指定情報記憶手段に記憶されている通知法指定情報が通知を第１通知処理で行うことを指示する情報であった場合には、当該ユーザに対して、スキャンメールの配送が行えなかったことを通知するための電子メールを送信する第１通知処理を行い、そうでなかった場合には、エラーメールの内容をプリンタに印刷させる第２通知処理を行う手段を採用しておくことも、出来る。
【００１５】
【発明の実施の形態】
以下、本発明の実施の形態を、図面を参照して詳細に説明する。
【００１６】
図１（Ａ）に示したように、本発明の一実施形態に係るスキャンメール送信装置１０は、スキャナ１２と直接接続され、かつ、インターネットに接続されているＬＡＮに接続されて使用される装置である。
【００１７】
本実施形態に係るスキャンメール送信装置１０は、スキャナ１２を利用して原稿のイメージデータファイルを作成し、作成したイメージデータファイルを添付ファイルとした電子メール（以下、スキャンメールと表記する）を送信することが出来る装置である。なお、本スキャンメール送信装置１０は、図１（Ｂ）に模式的に示したような形状の、スキャナ１２のみならず、プリンタ１４とも接続されて使用される装置となっている。また、詳細は後述するが、本スキャンメール送信装置１０は、メールサーバーとしての機能を有する装置となっている。このため、本スキャンメール送信装置１０の使用を開始する際には、図示せぬＤＮＳ（ドメインネームサーバー）に、このスキャンメール送信装置１０（メールサーバー）に関するＭＸ（Ｍａｉｌ　Ｅｘｃｈａｎｇｅｒ）レコード等を追加する作業が行われる。また、スキャンメール送信装置１０を使用する各ユーザのＰＣ（パーソナルコンピュータ）４０に、スキャンメール送信装置１０用に開発されたユーザ用プログラムをインストールする作業、スキャンメール送信装置１０の管理者のＰＣ４０に、スキャンメール送信装置１０用に開発された管理者用プログラムをインストールする作業も行われる。
【００１８】
次に、図２及び図３を用いて、スキャンメール送信装置１０の構成を説明する。
【００１９】
図２に示したように、スキャンメール送信装置１０は、タッチスクリーン３１，テンキー部３２，ＣＰＵ２１，ＲＯＭ２２，ＲＡＭ２３，通信制御回路２４，ＨＤＤ２５，ＬＣＤ制御回路２６，入力インタフェース回路（入力Ｉ／Ｆ）２７，ネットワークインタフェース回路（ＮＷ−Ｉ／Ｆ回路）２８等で構成されている。
【００２０】
タッチスクリーン３１は、液晶ディスプレイ（ＬＣＤ）３５上に透明な接触位置センサ３６を重ねたデバイスであり、テンキー部３２は、テンキー、スタートボタン等からなるユニットである。
【００２１】
ＣＰＵ２１は、スキャンメール送信装置１０内の各部を統合的に制御する制御回路である。ＲＯＭ２２は、ＣＰＵ２１の動作手順を規定したプログラムやＣＰＵ２１が利用するデータが記録された不揮発性メモリである。このＲＯＭ２２には、図３に模式的に示したように、スキャンメール送信装置１０をメールサーバとして動作させるためのプログラムであるＳＭＴＰデーモン及びＳＭＴＰクライアントを含む各種のプログラムが記録されている。これらのプログラムに従ったスキャンメール送信装置１０（ＣＰＵ２１）の動作については後述するが、スキャンメール送信装置１０は、プリンタ１４にも接続される装置であるので、ＲＯＭ２２には、図３には示されていないプリンタ制御プログラム、プリンタドライバも記憶されている。
【００２２】
ＲＡＭ２３は、ＣＰＵ２１（ＣＰＵ２１が実行しているプログラム）が各種の情報を一時的に記憶しておくために使用するメモリである。通信制御回路２４は、ＣＰＵ２１が、スキャナ１２或いはプリンタ１４との間で情報交換（コマンドの送信、イメージデータの受信、印刷データの送信）を行なうために使用する回路である。ＬＣＤ制御回路２６は、タッチスクリーン３１の構成要素である液晶ディスプレイ（ＬＣＤ）３５に、ＣＰＵ２１から指示された内容の画像（画面）を表示させる回路である。入力インタフェース回路２７は、ユーザがテンキー部３２或いはタッチスクリーン３１の構成要素である透明な接触位置センサ３６に対して行った操作内容を、ＣＰＵ２１に通知する回路である。ネットワークインタフェース回路２８は、ＰＣ４０、インターネット上の各種装置（メールサーバ等）との間で通信を行うためにＣＰＵ２１が利用する回路である。
【００２３】
ＨＤＤ２５は、動作環境情報テーブル（図示せず）、スキャンメール情報テーブルの記憶手段と用いられていると共に、メールボックスとして用いられている補助記憶装置である。
【００２４】
動作環境情報テーブルは、スキャンメール送信装置１０のデフォルトの動作条件を規定する各種の情報を、記憶しておくためのテーブルである。この動作環境情報テーブルには、スキャンメール送信装置１０のメールアドレス（以下、装置メールアドレスと表記する）が記憶されている。なお、本スキャンメール送信装置１０は、タッチスクリーン３１、テンキー部３２等を操作することにより、この動作環境情報テーブル内の情報を変更できるように、構成されている。
【００２５】
スキャンメール情報テーブルは、複数のユーザのそれぞれについて、ユーザ名、ユーザ名称、ユーザメールアドレス、署名情報、複数の本文情報、複数の件名情報、複数の宛先情報、通知法指定情報等からなるスキャンメール情報を、記憶しておくことが出来る構成のテーブルである。
【００２６】
このスキャンメール情報テーブルに記憶される各スキャンメール情報に含まれるユーザ名は、ユーザ及びスキャンメール情報の識別情報としてタッチスクリーン３１に表示される情報である。スキャンメール情報に含まれるユーザ名称、ユーザメールアドレス、署名情報は、対応するユーザ名で識別されるユーザがスキャンメールの送信を指示した際に、スキャンメール送信装置１０により送信されるスキャンメールのヘッダ、本文に組み込まれる情報である。スキャンメール情報に含まれる複数の本文情報は、ユーザがスキャンメールの送信を指示する際に、それらの中から、送信するスキャンメールに使用する本文情報を選択できる情報である。スキャンメール情報に含まれる複数の件名情報は、ユーザがスキャンメールの送信を指示する際に、それらの中から、送信するスキャンメールに使用する件名情報を選択できる情報である。また、スキャンメール情報に含まれる複数の宛先情報（Ｅメールアドレス、宛先名等からなる情報）は、ユーザがスキャンメールの送信を指示する際に、送信するスキャンメールに使用する宛先情報を選択できる情報である。
【００２７】
すなわち、スキャンメール情報に含まれる、通知法指定情報を除く情報は、送信するスキャンメールの作成に利用される情報となっている。一方、スキャンメール情報に含まれる通知法指定情報は、スキャンメールの配送に失敗した際に、そのことをメール、印刷物のいずれで通知するかを指定する情報であり、本スキャンメール送信装置１０は、各ユーザが、スキャンメール送信装置１０を実際に使用する前に、このスキャンメール情報テーブルに自身に関するスキャンメール情報を設定する作業を行っておく必要がある装置となっている。
【００２８】
この作業内容を簡単に説明すると、まず、スキャンメール送信装置１０を利用したいユーザは、管理者に自身用のスキャンメール情報の登録を依頼する。当該依頼を受けた管理者は、そのユーザに割り当てるユーザ名を決定するとともに、自身のＰＣ４０（管理者用プログラム）を操作することにより、決定したユーザ名を含むスキャンメール情報をスキャンメール送信装置１０内のスキャンメール情報テーブルに登録する。
【００２９】
そして、スキャンメール情報がスキャンメール情報テーブル内に登録されたユーザは、自身のＰＣ４０にインストールされているユーザ用プログラムを起動して、自身に割り当てられているユーザ名の指定を伴う所定の操作を行う。この操作により、ＰＣ４０には、スキャンメール情報の設定を行えるダイアログボックスが表示されるので、ユーザは、当該ダイアログボックスを操作することにより、自身に関するスキャンメール情報をスキャンメール送信装置１０内（スキャンメール情報テーブル内）に設定しておく。
【００３０】
次に、スキャンメール送信装置１０の動作を、説明する。
【００３１】
スキャンメール送信装置１０の動作は、スキャンメールの送信指示を受け付けて、当該送信指示に応じた内容のスキャンメールを送信する動作と、他機器（主として他のメールサーバ）からの電子メールの受信を監視する動作とに大別することが、出来る。
【００３２】
まず、図４及び図５を用いて、スキャンメール送信装置１０の前者の動作を、説明する。これらの図のうち、図４は、スキャンメール基本操作画面の表示後、スキャンメールを送信する処理が１回完了するまでの間におけるスキャンメール送信装置１０の動作手順を示した流れ図であり、図５は、スキャンメール基本操作画面の説明図である。なお、図４に示した手順の処理は、図３に示してあるほとんど全てのプログラム（ＳＭＴＰデーモンとイメージデータ圧縮・ファイル変換プログラムとを除くプログラム群）が、連携して行われる処理となっている。
【００３３】
図４に示したように、スキャンメール送信装置１０は、通常の状態では、スキャンメール基本操作画面をタッチスクリーン３１上に表示（ステップＳ１０１）した後、タッチスクリーン３１或いはテンキー部３２がユーザによって操作されるのを待機している（ステップＳ１０２）。
【００３４】
ここで、スキャンメール基本操作画面とは、図５に示したように、原稿のサイズ、原稿から生成するイメージデータの解像度、スキャンメールに添付するイメージデータファイルの形式（ＰＤＦ、ＴＩＦＦ等）を設定するためのボタン群が示された領域５３、宛先を設定するための宛先設定ボタン５１，メールの本文や件名を設定するためのメール情報参照ボタン５２、ユーザを指定（選択）するためのユーザボタン５４等を備えた画面のことである。
【００３５】
そして、スキャンメール送信装置１０は、スタートボタンの押下以外の操作がなされた場合（ステップＳ１０２；その他）には、なされた操作に応じた内容の処理をステップＳ１０３にて行う。このステップＳ１０３及びステップＳ１０２からなる処理ループにて、スキャンメール送信装置１０は、さまざまな処理を行う。
【００３６】
例えば、ユーザボタン５４が押下された場合、スキャンメール送信装置１０は、ユーザ名を選択させるための画面をタッチスクリーン３１上に表示する。そして、スキャンメール送信装置１０は、ユーザ名が選択されたときに、選択されたユーザ名がその内部に示されたユーザボタン５４を有するスキャンメール基本操作画面をタッチスクリーン３１上に再び表示する。
【００３７】
また、宛先設定ボタン５１が押下された場合、スキャンメール送信装置１０は、ユーザボタン５４にて選択されているユーザ名を含むスキャンメール情報内の宛先情報群に基づき、宛先情報を選択できる画面を、タッチスクリーン３１上に表示する。そして、スキャンメール送信装置１０は、宛先情報が選択されたときに、選択された宛先情報を記憶し、宛先ボタン５１の内部に“宛先：設定済”が示されたスキャンメール基本操作画面をタッチスクリーン３１上に再び表示する。
【００３８】
また、メール情報参照ボタン５２が押下された場合、スキャンメール送信装置１０は、本文情報や件名情報を選択できる画面を、タッチスクリーン３１上に表示し、本文情報、件名情報が選択されたときに、選択された本文情報、件名情報を記憶した後、スキャンメール基本操作画面をタッチスクリーン３１上に再び表示する。
【００３９】
そして、スタートボタンが押下された際（図４：ステップＳ１０２；スタートボタン押下）、スキャンメール送信装置１０は、必要な情報が全て設定されていることを確認した上（図示せず）で、スキャナ１２に対して原稿の読み取り（原稿上の画像を表すイメージデータの生成）を指示するコマンドを送信する（ステップＳ１０４）。その後、スキャンメール送信装置１０は、ユーザによって設定されている件名情報、メール本文情報、幾つか（少なくとも１つ）の宛先情報等と、当該ユーザに関するスキャンメール情報内のユーザメールアドレス、署名情報等と、スキャナ１２によって生成された原稿のイメージデータとに基づき、スキャンメールを作成して送信する処理（ステップＳ１０５）を、行う。なお、このステップＳ１０５で送信されるスキャンメールは、そのエンベロープの送信者アドレスとして装置メールアドレスが設定されたものである。
【００４０】
次に、スキャンメール送信装置１０の、他機器（主として他のメールサーバ）からの電子メールの受信を監視する動作内容を、説明する。なお、以下に説明する動作は、メインプログラム、スキャンメールプログラム、ＳＭＴＰデーモン、ネットワークプロトコルスタック、ネットワークドライバ、イメージデータ圧縮・ファイル変換プログラム等が連携して機能することにより、行われるものである。
【００４１】
スキャンメール送信装置１０は、自装置宛の電子メールが送信されてくるのを常時監視しており、自装置宛の電子メールが送信されてきた場合には、その電子メールをその電子メール用のメールボックスに保存する。また、その電子メールに対して、図６に示した手順の処理を実行する。
【００４２】
すなわち、スキャンメール送信装置１０は、受信した電子メールがエラーメールであるか否かを判断（ステップＳ２０１）し、エラーメールでなかった場合（ステップＳ２０１；ＮＯ）、特に処理を行うことなく、この図に示した処理を終了する。一方、受信した電子メールがエラーメールであった場合（ステップＳ２０１；ＹＥＳ）、スキャンメール送信装置１０は、そのエラーメールにて配送に失敗したことが示されているスキャンメールの送信指示者に関する通知法指定情報が、メールによる通知を指示するものであるか印刷物による通知を指示するものであるかを判断する（ステップＳ２０２）。そして、通知法指定情報がメールによる通知を指示するものであった場合（ステップＳ２０２；メール）、スキャンメール送信装置１０は、エラーメールの内容（添付ファイルを含まないもの）とその要約文とを記した電子メールを送信指示者に宛てて送信する（ステップＳ２０３）。なお、要約文とは、エラーメールの内容を、一般の者（エラーコードの意味を知らない者）が分かるように要約した文章のことである。
【００４３】
そして、スキャンメール送信装置１０は、受信したエラーメールに対する処理を終える。
【００４４】
一方、通知法指定情報が印刷物による通知を指示するものであった場合（ステップＳ２０２；印刷物）、スキャンメール送信装置１０は、エラーメールの内容（添付ファイルを含まないもの）とその要約文とをプリンタ１４に印刷させる処理（ステップＳ２０４）を行った後、受信した電子メールに対する処理を終了する。
【００４５】
以上、説明したように、本実施形態に係るスキャンメール送信装置１０は、メールサーバとしての機能を有する装置となっている。このため、本スキャンメール送信装置１０は、送信したスキャンメールが正常に配送されなかった場合に、そのことを管理者等に通知することが出来るようにするための処理にネットワーク資源が無駄に消費されることがない装置として機能することになる。
【００４６】
＜変形形態＞
実施形態のスキャンメール送信装置１０は、各種の変形を行うことが出来る。例えば、スキャンメール送信装置１０は、ＰＣ４０を操作することによりスキャンメール情報の設定が行われる装置であったが、タッチスクリーン３１等を操作することにより、スキャンメール情報の設定が行えるように、スキャンメール送信装置１０を変形しておいても良い。また、実施形態のスキャンメール送信装置１０は、イメージデータファイルを添付ファイルとしたスキャンメールを送信する装置であったが、スキャンメール送信装置１０を、スキャナ１２に生成させたイメージデータのファイルを、Ｗｅｂブラウザを利用してそのダウンロードが行える形でサーバ装置にアップロードするシステムであるとともに、スキャンメールとして、サーバ装置にアップロードしたファイルのＵＲＬを本文に含む電子メールを送信するシステムとなるようにしておいても良い。また、スキャンメール送信装置１０に表示させる各種画面を、上記したものとは異なるものとしておいても良く、メールによる通知／印刷物による通知のいずれかのみが行えるように、スキャンメール送信装置１０を構成しておいても良い。また、タッチスクリーン３１上にスキャンメールが正確に配送されなかったことが示されるように、スキャンメール送信装置１０を構成しておいても良い。
【００４７】
【発明の効果】
本発明によれば、送信したスキャンメールが正常に配送されなかったことを管理者等に通知することが出来るようにするための処理に、ネットワーク資源が無駄に消費されることがないスキャンメール送信装置を、実現することが出来る。
【図面の簡単な説明】
【図１】本発明の一実施形態に係るスキャンメール送信装置の使用形態の説明図である。
【図２】実施形態に係るスキャンメール送信装置のハードウェア構成図である。
【図３】実施形態に係るスキャンメール送信装置のソフトウェア構成図である。
【図４】スキャンメール送信装置の、スキャンメールの送信時の動作手順を示した流れ図である。
【図５】スキャンメール送信装置のタッチスクリーンに表示されるスキャンメール基本操作画面の説明図である。
【図６】スキャンメール送信装置の、エラーメール受信時の動作手順を示した流れ図である。
【図７】既存のスキャンメール送信装置の構成、動作を説明するための図である。
【符号の説明】
１０　スキャンメール送信装置
１２　スキャナ
１４　プリンタ
２１　ＣＰＵ
２２　ＲＯＭ
２３　ＲＡＭ
２４　通信制御回路
２５　ＨＤＤ
２６　ＬＣＤ制御回路
２７　入力インタフェース回路
２８　ネットワークインタフェース回路
３１　タッチスクリーン
３２　テンキー部
４０　ＰＣ
【図１】
2004088612.tif 000003
【図２】
2004088612.tif 000004
【図３】
2004088612.tif 000005
【図４】
2004088612.tif 000006
【図５】
2004088612.tif 000007
【図６】
2004088612.tif 000008
【図７】
2004088612.tif 000009